(57)【要約】【課題】  撮影事象を的確に含む動画像／音声データファイルを生成する。【解決手段】  動画像及び音声を撮影録画する撮影録画装置であって、入力される動画像及び音声の符号化データを記録する動画像一次保存領域２０１および音声一次保存領域２０２と、動画像一次保存領域２０１および音声一次保存領域２０２に記録された動画像及び音声の符号化データを多重化して、動画像／音声データファイルを生成する多重化部１０５と、前記動画像／音声データファイルを保存する長期記録領域２０３と、を備え、多重化部１０５が、撮影停止指示タイミングから遡って動画像一次保存領域２０１および音声一次保存領域２０２から取得した符号化データを多重化する。【選択図】  図１
2006229546.tif 000002
【特許請求の範囲】
【請求項１】
動画像及び音声を撮影録画する撮影録画装置であって、
入力される動画像及び音声の符号化データを記録する第一記憶手段と、
前記第一記憶手段に記録された前記動画像及び音声の符号化データを多重化して、動画像／音声データファイルを生成する多重化手段と、
前記動画像／音声データファイルを保存する第二記憶手段と、を備え、
前記多重化手段は、撮影停止指示タイミングから遡って前記第一記憶手段から取得した符号化データを多重化する撮影録画装置。
【請求項２】
動画像及び音声を撮影録画する撮影録画装置であって、
入力される動画像及び音声の符号化データを記録する第一記憶手段と、
前記第一記録手段に記録する前記動画像及び音声の符号化データが、予め設定した録画時間またはデータ容量を超過する場合、古い方から順番に超過する分の前記動画像及び音声の符号化データを削除する画像／音声自動削除手段と、
前記第一記憶手段に記録された前記動画像及び音声の符号化データを多重化して、動画像／音声データファイルを生成する多重化手段と、
前記動画像／音声データファイルを保存する長期記憶手段と、を備え、
前記多重化手段は、撮影停止指示タイミングから遡って前記第一記憶手段から取得した符号化データを多重化する撮影録画装置。
【請求項３】
前記画像／音声自動削除手段で最後に削除した前記動画像及び音声の符号化データから画像を取得し、生成される前記動画像／音声データファイルに関わる先頭画像の情報として提供する先頭画像情報提供手段を更に備える請求項２記載の撮影録画装置。
【請求項４】
前記画像／音声自動削除手段は、１フレームの時間を１削除単位時間とし、削除単位毎に前記動画像及び音声の符号化データを同期して削除する請求項２又は３記載の撮影録画装置。
【請求項５】
前記画像／音声自動削除手段は、1フレームの時間の整数倍を１削除単位時間とし、削除単位毎に前記動画像及び音声の符号化データを同期して削除する請求項２又は３記載の撮影録画装置。
【請求項６】
接続する動画像／音声データファイルの再生手段に応じて、前記再生手段での再生に最適なデータ符号化方式や、生成する前記動画像／音声データファイルの録画時間またはデータ容量を自動的に設定する請求項１から５のいずれか一項記載の撮影録画装置。
【請求項７】
前記多重化手段は、予め定めた時間または予め定めたデータ量に相当する時間遡った時点までの前記動画像及び音声の符号化データを多重化する請求項１から６のいずれか一項記載の撮影録画装置。
【請求項８】
動画像及び音声を撮影録画する撮影録画方法であって、
入力される動画像及び音声の符号化データを記録する第一記憶ステップと、
前記第一記憶ステップで記録された前記動画像及び音声の符号化データを多重化して、動画像／音声データファイルを生成する多重化ステップと、
前記動画像／音声データファイルを保存する第二記憶ステップと、を含み、
前記多重化ステップは、撮影停止指示タイミングから遡って取得した符号化データを多重化する撮影録画方法。
【請求項９】
動画像及び音声を撮影録画する撮影録画方法であって、
入力される動画像及び音声の符号化データを記録する第一記憶ステップと、
前記第一記録ステップで記録する前記動画像及び音声の符号化データが、予め設定した録画時間またはデータ容量を超過する場合、古い方から順番に超過する分の前記動画像及び音声の符号化データを削除する画像／音声自動削除ステップと、
前記第一記憶ステップで記録された前記動画像及び音声の符号化データを多重化して、動画像／音声データファイルを生成する多重化ステップと、
前記動画像／音声データファイルを保存する第二記憶ステップと、を含み、
前記多重化ステップは、撮影停止指示タイミングから遡って取得した符号化データを多重化する撮影録画方法。
【請求項１０】
前記画像／音声自動削除ステップで最後に削除した前記動画像及び音声の符号化データから画像を取得し、生成される前記動画像／音声データファイルに関わる先頭画像の情報として提供する先頭画像情報提供ステップを更に含む請求項９記載の撮影録画方法。
【発明の詳細な説明】
【技術分野】
【０００１】
本発明は、動画像及び音声を撮影録画する撮影録画装置及び撮影録画方法に関する。
【背景技術】
【０００２】
ＭＰＥＧ−４などの高圧縮符号化技術の実用化により、動画像や音声を撮影録画する装置の小型化が進み、それらを搭載したデジタルカメラやカメラ付き携帯電話等の電子機器が普及している。
【０００３】
撮影を行う機会もより一般的となり、動画像や音声の撮影録画装置も、従来のテープデバイスを用いた装置から、ハードディスクやフラッシュメモリ等を使用する装置へ移行してきている。ハードディスクやフラッシュメモリ等を使った撮影録画装置は、大容量、アクセス速度が良好、書き込み／読み出しが同時に実行可能、などの優れた特徴を有している。
【０００４】
ところで、例えば、テレビ映像の録画装置に関しては、時間差再生機能や同時２チャンネル録画機能、録画開始指示位置が多少ずれた場合でも使用者が録画したい番組を録画できる機能（例えば、特許文献１参照）など、記憶装置の大容量化の特性を活用した録画方法の提案が頻繁に行われている。しかしながら、デジタルカメラやデジタルムービーなどの撮影録画装置では、上記のような装置の進化に比較して、撮影録画方法に対する提案が殆ど行われていない。つまり、撮影開始動作から撮影終了動作までに取得されたデータがすべて記録されるという基本的な撮影方法はテープデバイスを用いた装置の時代から何等変化していない。
【特許文献１】特開２００４−１５３７９１号公報（第７−２１頁、第１図）
【発明の開示】
【発明が解決しようとする課題】
【０００５】
従来の撮影録画装置は、撮影開始指示と撮影停止指示とを装置に対して実行することにより、開始から停止までの間に入力された動画像データ及び音声データを記録する方式である。そのため、記録するデータ量を適切に抑制するためには、撮影者は、撮影したい事象（以降、撮影事象と称する）が発生する直前に撮影を開始する必要がある。
【０００６】
しかしながら、静止している動物や子供が動く瞬間を撮影したい時など、発生時刻の予測が困難な撮影事象の場合、事象発生の相当程度前の時点から撮影を開始しなければならないという問題があった。撮影開始直後に意図した事象が発生する場合はよいが、そうでない場合は事象が発生するまでに大量の冗長な記録部分を生じることとなる。
【０００７】
上記の問題について更に具体的に説明する。図８は、動画像の撮影において、所望の記録部分と冗長な記録部分との関係を模式的に示す図である。
【０００８】
子供の立ち上がる瞬間を３フレーム区間内の動画像／音声データファイルとして記録したい場合を想定する。尚、以下では、動画像データと音声データとを多重化したデータを動画像／音声データと称する。
【０００９】
従来の撮影録画装置では、フレーム３０３〜３０５を撮影録画しようとする場合、フレーム３０３の時点で子供が立ち上がることが予測できない撮影者は、予めフレーム３００などで撮影開始ボタンを押下しなければならなかった。例えば、フレーム３００の時点で撮影開始ボタンを押下した場合、動画像／音声データファイルにフレーム３００〜３０２の冗長なシーンが撮影されてしまうという問題があった。冗長な記録データは、特に、携帯通信機器を用いてデータを送信する場合などにおいて、再生時間やデータ容量に対する制限などの面で致命的な問題となる場合がある。
【００１０】
上記問題の解決策として、撮影後に動画像／音声データファイルを編集するという方法もあるが、編集作業には時間がかかり煩雑である。実際に、動画編集機能を搭載した撮影録画装置なども存在するが一般的には普及していない。
【００１１】
一方、冗長な記録部分を削減しようとして撮影開始を遅らせると、事象の発生を撮影し損ねてしまう場合もある。以上のように、いつ撮影を開始すればよいかということは、瞬間的な撮影好機を記録したい撮影者にとっては重大な懸念事項であった。
【００１２】
本発明は、上記従来の事情に鑑みてなされたもので、撮影したい事象を的確に含むデータを録画することができる撮影録画装置及び撮影録画方法を提供することを目的とする。
【課題を解決するための手段】
【００１３】
本発明の撮影録画装置は、動画像及び音声を撮影録画する撮影録画装置であって、入力される動画像及び音声の符号化データを記録する第一記憶手段と、前記第一記憶手段に記録された前記動画像及び音声の符号化データを多重化して、動画像／音声データファイルを生成する多重化手段と、前記動画像／音声データファイルを保存する第二記憶手段と、を備え、前記多重化手段が、撮影停止指示タイミングから遡って前記第一記憶手段から取得した符号化データを多重化するものである。
上記構成によれば、多重化手段が、撮影停止指示タイミングから遡って第一記憶手段から取得した符号化データを多重化することにより、撮影したい事象の終了時点を基準にデータを記録することができる為、撮影したい事象が発生する前の不要なデータをできるだけ記録せず、撮影したい事象を的確に含むデータを録画することができる。
【００１４】
また、本発明の撮影録画装置は、動画像及び音声を撮影録画する撮影録画装置であって、入力される動画像及び音声の符号化データを記録する第一記憶手段と、前記第一記録手段に記録する前記動画像及び音声の符号化データが、予め設定した録画時間またはデータ容量を超過する場合、古い方から順番に超過する分の前記動画像及び音声の符号化データを削除する画像／音声自動削除手段と、前記第一記憶手段に記録された前記動画像及び音声の符号化データを多重化して、動画像／音声データファイルを生成する多重化手段と、前記動画像／音声データファイルを保存する長期記憶手段と、を備え、前記多重化手段が、撮影停止指示タイミングから遡って前記第一記憶手段から取得した符号化データを多重化するものである。
上記構成によれば、撮影事象を的確に含む映像を記録することができる。
【００１５】
また、本発明の撮影録画装置は、前記画像／音声自動削除手段で最後に削除した前記動画像及び音声の符号化データから画像を取得し、生成される前記動画像／音声データファイルに関わる先頭画像の情報として提供する先頭画像情報提供手段を更に備える。
上記構成によれば、撮影録画区間を把握しながら、撮影事象を的確に含む映像を記録することができる。
【００１６】
また、本発明の撮影録画装置は、前記画像／音声自動削除手段が、１フレームの時間を１削除単位時間とし、削除単位毎に前記動画像及び音声の符号化データを同期して削除する。
上記構成によれば、撮影事象を的確に含むように動画像／音声データファイルを生成することができる。
【００１７】
また、本発明の撮影録画装置は、前記画像／音声自動削除手段が、1フレームの時間の整数倍を１削除単位時間とし、削除単位毎に前記動画像及び音声の符号化データを同期して削除する。
上記構成によれば、撮影事象を的確に含むように動画像／音声データファイルを生成することができる。
【００１８】
また、本発明の撮影録画装置は、接続する動画像／音声データファイルの再生手段に応じて、前記再生手段での再生に最適なデータ符号化方式や、生成する前記動画像／音声データファイルの録画時間またはデータ容量を自動的に設定する。
上記構成によれば、撮影事象が的確に含まれるように、生成する動画像／音声データファイルに関する設定を行うことができる。
【００１９】
また、本発明の撮影録画装置は、前記多重化手段が、予め定めた時間または予め定めたデータ量に相当する時間遡った時点までの前記動画像及び音声の符号化データを多重化するものである。
上記構成によれば、撮影事象が的確に含むように動画像／音声データファイルを生成することができる。
【００２０】
また、撮影録画方法は、動画像及び音声を撮影録画する撮影録画方法であって、入力される動画像及び音声の符号化データを記録する第一記憶ステップと、前記第一記憶ステップで記録された前記動画像及び音声の符号化データを多重化して、動画像／音声データファイルを生成する多重化ステップと、前記動画像／音声データファイルを保存する第二記憶ステップと、を含み、前記多重化ステップは、撮影停止指示タイミングから遡って取得した符号化データを多重化する。
【００２１】
また、本発明の撮影録画方法は、動画像及び音声を撮影録画する撮影録画方法であって、入力される動画像及び音声の符号化データを記録する第一記憶ステップと、前記第一記録ステップで記録する前記動画像及び音声の符号化データが、予め設定した録画時間またはデータ容量を超過する場合、古い方から順番に超過する分の前記動画像及び音声の符号化データを削除する画像／音声自動削除ステップと、前記第一記憶ステップで記録された前記動画像及び音声の符号化データを多重化して、動画像／音声データファイルを生成する多重化ステップと、前記動画像／音声データファイルを保存する第二記憶ステップと、を含み、前記多重化ステップが、撮影停止指示タイミングから遡って取得した符号化データを多重化するものである。
【００２２】
さらに、本発明の撮影録方法は、前記画像／音声自動削除ステップで最後に削除した前記動画像及び音声の符号化データから画像を取得し、生成される前記動画像／音声データファイルに関わる先頭画像の情報として提供する先頭画像情報提供ステップを更に含む。
【発明の効果】
【００２３】
本発明によれば、撮影後にデータを編集したり、意図する映像を撮影するために何度も撮影をし直すといった煩雑な作業を行うことなく、撮影事象を的確に含む動画像／音声データフィルを作成することができる。
【００２４】
また、撮影終了指示を適切に行うだけで、所望の撮影事象を含む動画像／音声データファイルが生成できるため、撮影者は、いつ撮影を開始するかという懸念や冗長なデータ記録が多くなるという心配を抱くことなく安心して撮影を行うことができる。
【発明を実施するための最良の形態】
【００２５】
以下、添付図面を参照しながら本発明の実施形態に係る撮影録画装置について詳細に説明する。
【００２６】
［実施の形態１］
図１は、本発明の実施の形態１における撮影録画装置の内部構成を示すブロック図である。
【００２７】
撮影録画装置は、画像入力部１、音声入力部２、動画像符号化部１０１、音声符号化部１０２、撮影用表示部１０３、制御部１０４、多重化部１０５、記録部２００で構成される。記録部２００は、更に、動画像一次保存領域２０１、音声一次保存領域２０２、長期記録領域２０３で構成される。
【００２８】
画像入力部１は、公知のデジタルカメラユニットなどで構成され、動画像データを生成し、動画像符号化部１０１及び撮影用表示部１０３へ送出する。
【００２９】
音声入力部２は、公知のマイクユニットなどで構成され、音声データを生成し、音声符号化部１０２へ送出する。
【００３０】
動画像符号化部１０１は、制御部１０４の初期設定で定められた符号化方式で、画像入力部１から入力された動画像データを符号化する。符号化した動画像データは、動画像一次保存領域２０１へ送出され、保存される。
【００３１】
音声符号化部１０２は、制御部１０４の初期設定で定められた符号化方式で、音声入力部２から入力された音声データを符号化する。符号化した音声データは、音声一次保存領域２０２へ送出され、保存される。
【００３２】
撮影用表示部１０３は、液晶ディスプレイまたは有機ＥＬディスプレイなどで構成され、画像入力部１から入力された動画像データや、後述する動画像／音声データファイルの先頭の画像などの表示を行う。撮影者は、表示される画像を視認して、現在の撮影対象や、記録される映像の最初の画像を確認することができる。
【００３３】
制御部１０４は、ＣＰＵなどで構成され、撮影録画装置全体の動作を統括制御する。各種動作の制御は、予め格納された制御用プログラムを制御部１０４で実行することにより実現される。また、各種の初期設定は、撮影者の入力に基づいて変更することもできる。
【００３４】
記録部２００は、動画像データや音声データ、またはそれらを多重化した動画像／音声データファイルを格納するメモリであり、動画像一次保存領域２０１、音声一次保存領域２０２、長期記録領域２０３の３領域で構成される。尚、動画像一次保存領域２０１、音声一次保存領域２０２、長期記録領域２０３は、それぞれ別々の記録部として構成することも可能である。
【００３５】
多重化部１０５は、動画像一次保存領域２０１に格納された動画像データと音声一次保存領域２０２に格納された音声データとを多重化して動画像／音声データファイルを生成する。生成した多重化データは、長期記録領域２０３に保存される。
【００３６】
次に、上記構成の撮影録画装置の動作について説明する。
【００３７】
図２は、本発明の実施の形態１における撮影録画装置の、撮影録画動作の制御手順を示すフローチャートである。撮影者が撮影録画装置の撮影開始ボタンを押下するなどして、撮影開始を指示すると、撮影が開始する（ステップＳ１０１）。撮影者は、撮影用表示部１０３に表示される画像を確認しながら、所望の事象の撮影を行う。
【００３８】
所望の事象の撮影完了を確認した直後、撮影者が撮影録画装置の撮影停止ボタンを押下するなどして撮影停止指示を行うと（ステップＳ１０２）、制御部１０４は、撮影を停止し（ステップＳ１０３）、予め設定された録画時間または容量分のデータを新しいデータから順に多重化する命令を多重化部１０５に対して行う。
【００３９】
多重化部１０５は、制御部１０４からの命令に従い、動画像一次保存領域２０１の動画像データと音声一次保存領域２０２の音声データを所定の録画時間またはデータ容量分だけ多重化し（ステップＳ１０４）、多重化したデータを長期記録領域２０３に保存する（ステップＳ１０５）。
【００４０】
多重化部１０５で多重化されるデータは、撮影停止指示時点から、予め設定された録画時間またはデータ容量分だけ遡った時点までの間のデータである。従って、長期記録領域２０３には常に一定容量の動画像／音声データファイルが記録される。
【００４１】
ここで、上記撮影動作により生成される動画像／音声データファイルについて、前出の図８を用いて具体的に説明する。
【００４２】
前出と同様に、子供の立ち上がる瞬間を動画像／音声データファイルとして記録したい場合を想定する。
【００４３】
実施の形態１の撮影録画装置では、記録したい動画像／音声データファイルの時間またはデータ容量を予め設定できるので、例えば、３フレーム区間の動画像／音声データファイルを撮影するように初期設定する。撮影者は、撮影を開始し、所望の事象（この場合は、立ち上がる動作）の撮影が完了するまで撮影を継続する。そして、事象の撮影が完了した直後に撮影停止ボタンを押下するなどして、撮影停止指示を行う。
【００４４】
例えば、フレーム３０１で撮影を開始し、撮影対象が立ち上がった直後のフレーム３０５で停止指示が行われた場合、動画像一次保存領域２０１及び音声一次保存領域に記録されるのは、フレーム３０１〜３０５までの画像及び音声である。しかし、動画像／音声データファイルとして最終的に長期記録領域２０３に記録される動画像／音声データは、フレーム３０５から遡って３フレームまで、即ち、フレーム３０３〜３０５となる。従って、撮影事象を的確に含む動画像／音声データファイルが生成される。
【００４５】
［実施の形態２］
図３は、本発明の実施２の形態における撮影録画装置の内部構成を示すブロック図である。
【００４６】
実施の形態２の撮影録画装置は、実施の形態１のそれと比較して、画像／音声自動削除部１０６が追加された構成となっている。
【００４７】
画像／音声自動削除部１０６は、制御部１０４の初期設定で予め設定された録画時間または容量の情報に基づいて、動画像一次保存領域２０１及び音声一次保存領域２０２に保存される動画像データ及び音声データを監視し、所定の録画時間または容量以上になった場合、古いデータから順に動画像データ及び音声データを同時に削除する。その他の構成及びその機能については実施の形態１と同様であるため説明を省略する。
【００４８】
次に、上記構成の撮影録画装置の動作について説明する。
【００４９】
図４は、本発明の実施の形態２における撮影録画装置の、撮影録画動作の制御手順を示すフローチャートである。撮影者が撮影録画装置の撮影開始ボタンを押下するなどして、撮影開始を指示すると、撮影が開始する（ステップＳ２０１）。撮影者は、撮影用表示部１０３に表示される映像を視認しながら、所望の事象の撮影を行う。
【００５０】
撮影中、動画像／音声自動削除部１０６は、記録される動画像データや音声データのデータ量を監視し（ステップＳ２０２）、予め設定した録画時間またはデータ容量を超過する場合、古いデータから順に動画像データ及び音声データを同時に削除する（ステップＳ２０３）。
【００５１】
所望の事象の撮影完了を確認した直後、撮影者が撮影録画装置の撮影停止ボタンを押下するなどして撮影停止指示を行うと（ステップＳ２０４）、制御部１０４は、撮影を停止し（ステップＳ２０５）、動画像一次保存領域２０１と音声一次保存領域２０２に保存されたデータを新しいデータから順に多重化する命令を多重化部１０５に対して行う。
【００５２】
多重化部１０５は、制御部１０４からの命令に従い動画像一次保存領域２０１の動画像データと音声一次保存領域２０２の音声データを多重化し（ステップＳ２０６）、多重化したデータを長期記録領域２０３に保存する（ステップＳ２０７）。
【００５３】
画像／音声自動削除部１０６によって、所定の録画時間またはデータ容量を超過する動画像データや音声データが予め自動的に削除されているため、多重化部１０５で多重化され、長期記録領域２０３に保存される動画像／音声データファイルは常に一定容量となる。
【００５４】
実施の形態1の撮影録画装置では、撮影停止指示が行われない限り動画像一次保存領域２０１や音声一次保存領域２０２にデータが蓄積され続けるため、大容量の記録領域が必要となる。一方、実施の形態２の撮影録画装置では、画像／音声自動削除部１０６が冗長となるデータを予め自動的に削除するので、記憶部２００の記憶容量を節約できる。
【００５５】
［実施の形態３］
図５は、本発明の実施３の形態における撮影録画装置の内部構成を示すブロック図である。
【００５６】
実施の形態３の撮影録画装置は、実施の形態２のそれと比較して、削除画像送出部１０７が追加された構成となっている。
【００５７】
削除画像送出部１０７は、画像／音声自動削除部１０６で最後に削除された画像のデータを撮影用表示部１０３へ送出する。撮影用表示部１０３には、現在撮影中の画像と共に、削除画像送出部１０７から送出された画像が表示される。この画像は、その時点で撮影を停止した場合に生成される動画像／音声データファイルの、先頭の画像（厳密には、極めて類似した画像）となる。その他の構成及びその機能については実施の形態２と同様であるため説明を省略する。
【００５８】
次に、上記構成の撮影録画装置の動作について説明する。
【００５９】
図６は、本発明の実施の形態３における撮影録画装置の、撮影録画動作の制御手順を示すフローチャートである。撮影者が撮影録画装置の撮影開始ボタンを押下するなどして、撮影開始を指示すると、撮影が開始する（ステップＳ３０１）。撮影者は、撮影用表示部１０３に表示される映像を視認しながら、所望の事象の撮影を行う。
【００６０】
撮影中、動画像／音声自動削除部１０６は、記録される動画像データや音声データのデータ量を監視し（ステップＳ３０２）、予め設定した所定の録画時間またはデータ容量を超過する場合、古いデータから順に動画像データ及び音声データを同時に削除する（ステップＳ３０３）。
【００６１】
同時に、削除画像送出部１０７は、削除された画像のデータを撮影用表示部１０３に送出し、撮影用表示部１０３は、画像入力部１から送出される現在撮影中の画像に、この画像(例えば、現在から所定時間前の画像で、画像／音声データファイルの先頭となる画像)を合成表示する（ステップＳ３０４）。
【００６２】
図７は、現在撮影中の画像と削除画像送出部１０７から送出された画像の、撮影用表示部１０３での合成表示例を示す模式図である。撮影者は、撮影中の画像と共に削除された画像を視認することで、生成される動画像／音声データファイルが、どの時点からどの時点までの映像となるかを高い精度で把握することができる。尚、現在撮影中の画像や削除された画像の位置や大きさは撮影者が自由に選択できるようにしてよい。
【００６３】
撮影事象の完了を確認した後、撮影者が撮影録画装置の撮影停止ボタンを押下するなどして撮影停止指示を行うと（ステップＳ３０５）、制御部１０４は、撮影を停止し（ステップＳ３０６）、動画像一次保存領域２０１と音声一次保存領域２０２に保存されたデータを新しいデータから順に多重化する命令を多重化部１０５に対して行う。
【００６４】
多重化部１０５は、制御部１０４からの命令に従い動画像一次保存領域２０１の動画像データと音声一次保存領域２０２の音声データを多重化し（ステップＳ３０７）、多重化したデータを長期記録領域２０３に保存する（ステップＳ３０８）。
【００６５】
実施の形態２の撮影録画装置と同様、画像／音声自動削除部１０６によって、所定の録画時間またはデータ容量を超過する動画像データや音声データが予め自動的に削除されているため、多重化部１０５で多重化され、長期記録領域２０３に保存される動画像／音声データファイルは常に一定容量となる。
【００６６】
また、実施の形態３の撮影録画装置では、現在撮影中の画像の他に、生成される動画像／音声データの先頭の画像も視認できるので、撮影者は、撮影録画区間を把握しながら、撮影事象を的確に含む映像を記録することができる。
【００６７】
以上の実施の形態において、撮影録画装置の記憶部２００における動画像一次保存領域２０１及び音声一次保存領域２０２は第一記憶手段として、また、長期記録領域２０３は第二記憶手段として機能する。更に、削除画像送出部１０７及び撮影用表示部１０３は先頭画像情報提供手段として機能する。
【００６８】
尚、上記の実施の形態において、制御部１０４へ撮影前に予め行う符号化方式、撮影時間または撮影データ容量の設定方法としては、直接各パラメータを撮影者が設定する以外に、撮影録画した動画像／音声データファイルを再生する機器等の設定を撮影者が行い、制御部１０４が、予め登録してあるテーブルを参照して再生する機器に最適の符号化方式や、撮影時間または撮影データ容量を算出するようにしてもよい。
【産業上の利用可能性】
【００６９】
本発明は、撮影事象を的確に含む動画像／音声データファイルを生成できるという効果を有し、撮影録画装置及び撮影録方法は、動画像及び音声を撮影録画する撮影録画装置及び撮影録画方法等に有用である。
【図面の簡単な説明】
【００７０】
【図１】本発明の実施の形態１における撮影録画装置の内部構成を示すブロック図
【図２】本発明の実施の形態１における撮影録画装置の、撮影録画動作の制御手順を示すフローチャート
【図３】本発明の実施２の形態における撮影録画装置の内部構成を示すブロック図
【図４】本発明の実施の形態２における撮影録画装置の、撮影録画動作の制御手順を示すフローチャート
【図５】本発明の実施３の形態における撮影録画装置の内部構成を示すブロック図
【図６】本発明の実施の形態３における撮影録画装置の、撮影録画動作の制御手順を示すフローチャート
【図７】現在撮影中の画像と削除画像送出部から送出された画像の、撮影用表示部での合成表示例を示す模式図
【図８】動画像の撮影において、所望の記録部分と冗長な記録部分との関係を模式的に示す図
【符号の説明】
【００７１】
１  画像入力部
２  音声入力部
１０１  動画像符号化部
１０２  音声符号化部
１０３  撮影用表示部
１０４  制御部
１０５  多重化部
１０６  画像／音声自動削除部
１０７  削除画像送出部
２００  記録部
２０１  動画像一次保存領域
２０２  音声一次保存領域
２０３  長期記録領域
３００、３０１、３０２、３０３、３０４、３０５  フレーム
【図１】
2006229546.tif 000003
【図２】
2006229546.tif 000004
【図３】
2006229546.tif 000005
【図４】
2006229546.tif 000006
【図５】
2006229546.tif 000007
【図６】
2006229546.tif 000008
【図７】
2006229546.tif 000009
【図８】
2006229546.tif 000010